(57)【要約】 【課題】磁石と金属体の選択的装着を可能とし、且つつぼ刺激の有無も選択できる靴の中敷を提供する。【解決手段】通気性を備えるように多数の小透孔１１を穿設形成した樹脂製の中敷本体１において、一面側を扁平突出部１７とし、前記扁平突出部の背面に凹部を形成すると共に、凹部底面が周面を残して抜き孔とした収納部を適宜数箇所に形成し、前記収納部内に、扁平磁石体又は薄銅板の何れかを選択的に、略非突出状態として嵌合装着してなり、磁気作用並びに抜き孔から露出した薄銅板で殺菌・消臭作用を備えることになり、且つ扁平突出部形成面を表面とすると、つぼ刺激用の中敷として使用され、扁平突出部形成面を裏面とすると、つぼ刺激を好まない者でも使用できる。【選択図】図１
0003132740.tif 000002
【実用新案登録請求の範囲】
【請求項１】
通気性を備えるように多数の小透孔を穿設形成した樹脂製の中敷本体において、表面側を扁平突出部とし、前記扁平突出部の背面に凹部を形成すると共に、凹部底面が周面を残して抜き孔とした収納部を適宜数箇所に形成し、前記収納部内に扁平磁石体を背面側が略非突出状態となるように嵌合装着すると共に、表面側における前記扁平磁石体装着箇所以外の適宜箇所に、背面側が非突出状態となるように薄銅板又は薄アルミ板からなる薄金属板を装着してなることを特徴とする靴の中敷。
【請求項２】
扁平突出部及び凹部を円形とし、磁石体の厚さを、磁石体装着時に中敷本体の表面と略一致するものとしてなる請求項１記載の靴の中敷。
【請求項３】
薄金属板を磁石体と同径に形成し、薄金属板装着箇所も磁石体装着箇所と同様な収納部に形成すると共に、前記収納部に扁平磁石体又は薄金属板の何れかを選択的に嵌合装着してなる請求項１又は２記載の靴の中敷。
【請求項４】
薄金属板を中央に装着孔を備えた輪状に形成し、中敷き本体表面側に小柱体を形成し、装着孔に小柱体を挿通すると共に、小柱体の突出先部をキノコ形状にして、薄金属板を装着してなる請求項１又は２記載の靴の中敷。
【請求項５】
つま先部分及び踵部分に対応する範囲に薄金属板を配置し、その他の箇所に磁石体を装着してなる請求項１乃至４記載の何れかの靴の中敷。
【請求項６】
土踏まず対応箇所を表裏面の一方又は双方を膨出面に形成すると共に、前記膨出面に多数の小突起を設けてなる請求項１乃至５記載の何れかの靴の中敷。
【考案の詳細な説明】
【技術分野】
【０００１】
本考案は、靴の中敷に関するものである。
【背景技術】
【０００２】
靴の中敷において、特に足裏のつぼを刺激する小突起を設けたもの、磁気作用の刺激を与えるもの、金属イオン（銅イオン、銀イオン）によって消臭・殺菌をなすもの等が種々提案されている。
【０００３】
具体的には、特許文献１（実開平２−１３２４０３号公報）に、中敷本体に埋設した磁気体を突起状に配置して、つぼ刺激と磁気作用を同時に働かせるようにしたものが開示されており、特許文献２（実開平４−４８０４号公報）には、中敷本体に凹部を形成し、当該凹部内に薄い金属片を内装したものが開示されている。
【０００４】
また殺菌・消臭作用と磁気作用の双方を備えるものとして、特許文献３（実開平７−２０８０７号公報）に、金属（銅、銀の化合物）を混入した中敷本体に、樹脂の突起と共に磁石を装着したものが開示されている。
【０００５】
【特許文献１】実開平２−１３２４０３号公報。
【特許文献２】実開平４−４８０４号公報。
【特許文献３】実開平７−２０８０７号公報。
【考案の開示】
【考案が解決しようとする課題】
【０００６】
従前の靴の中敷においては、突起によるつぼ刺激、磁気作用、殺菌・消臭作用が個別的に或いは同時に組み込むことが行われているが、具体的構造においては、種々の問題がある。
【０００７】
特許文献１，２においては、殺菌・消臭作用が実現しておらず、突起によるつぼ刺激及び磁気作用を備えるのみである。また特許文献３においては、突起によるつぼ刺激、磁気作用、殺菌・消臭作用の全ての機能を備えているが、殺菌・消臭作用をなす金属体は、中敷本体に混入するものであって、金属体の組み込みが中敷本体の製造に限られ、製造が面倒であると共に、金属イオンの作用が働き難くい構造となり、また磁石体や金属体間の配置に選択性が無い。
【０００８】
そこで本考案は、磁石体と金属体の各作用が適切に働く構造で、且つ選択的配置を可能とし、またつぼ刺激の有無も選択できる新規な靴の中敷を提案したものである。
【課題を解決するための手段】
【０００９】
本考案に係る靴の中敷は、通気性を備えるように多数の小透孔を穿設形成した樹脂製の中敷本体において、表面側を扁平突出部とし、前記扁平突出部の背面に凹部を形成すると共に、凹部底面が周面を残して抜き孔とした収納部を適宜数箇所に形成し、前記収納部内に扁平磁石体を背面側が略非突出状態となるように嵌合装着すると共に、表面側における前記扁平磁石体装着箇所以外の適宜箇所に、背面側が非突出状態となるように薄銅板又は薄アルミ板からなる薄金属板を装着してなることを特徴とするものである。
【００１０】
而して中敷本体の凹部内に扁平磁石体又は薄金属板が適宜箇所に露出状態で装着されるものである。従って中敷本体を靴内に収納すると、磁気作用並びに薄金属板による殺菌・消臭作用を備えることになり、且つ扁平突出部形成面を足当接面とすると、つぼ刺激用の中敷として使用され、扁平突出部形成面を裏面にすると、つぼ刺激を好まない者でも使用できる。
【００１１】
また本考案（請求項２，３）に係る靴の中敷は、特に扁平突出部及び凹部を円形とし、磁石体の厚さを、磁石体装着時に中敷本体の表面と略一致（足裏に対してつぼ刺激となら僅かな突出も含まれる趣旨である）させ、薄金属板を磁石体と同径に形成し、薄金属板装着箇所も磁石体装着箇所と同様な収納部に形成すると共に、前記収納部に扁平磁石体又は薄金属板の何れかを選択的に嵌合装着して形成したものである。
【００１２】
従って扁平突出部形成面の背面は平らな面（土踏まず部分を除いて）となり、特に扁平磁石体と薄金属板の配置を選択することができる。
【００１３】
また本考案（請求項４）に係る靴の中敷は、特に薄金属板を中央に装着孔を備えた輪状に形成し、中敷き本体表面側に小柱体を形成し、装着孔に小柱体を挿通すると共に、小柱体の突出先部をキノコ形状にして、薄金属板を装着したものである。
【００１４】
従って薄金属板を露出状態で且つ容易に装着することができ、キノコ状頭部が、つぼ刺激突起として作用するものである。
【００１５】
また本考案（請求項５）に係る靴の中敷は、特につま先部分及び踵部分に対応する範囲に薄銅板を配置し、その他の箇所に磁石体を装着してなると、磁気作用並びに殺菌・消臭作用が効率的に行われる。
【考案の効果】
【００１６】
本考案の構成は以上の通りであり、磁気作用と殺菌・消臭作用と、つぼ刺激作用の全てを選択的に備えることのできるもので、所望の作用を備えた靴の中敷を容易に提供できたものである。
【考案を実施するための最良の形態】
【００１７】
次に本考案の実施の形態について説明する。図１乃至図４は、第一実施形態を示したもので、この実施形態に示した靴の中敷は、中敷本体１と扁平磁石体２と薄銅板３と、蓋体４とで構成される。
【００１８】
中敷本体１は、通気孔となる多数の小透孔１１を穿設形成した樹脂製（ポリプロピレン等）で、つま先部分１２と踵部分１３には靴の大きさに対応できる切り取り基準線１４を設け、土踏まず対応箇所の表背面（表裏面）を膨出面１５に形成すると共に、前記膨出面１５に多数の小突起１６を設けてなる。尚前記膨出面１５は一方の面（表面）のみに形成しても良い。
【００１９】
更に中敷本体１の表面側の適宜箇所（全体的に約均一に分布するよう）に、円形の扁平突出部１７を設け、更に前記扁平突出部１７の背面を収納部１８としたものである。
【００２０】
この収納部１８は、直径６〜１５ｍｍ程度の凹部１８１を備え、凹部１８１の底面が周縁面１８２を残して抜き孔１８３としたものである。
【００２１】
扁平磁石体２は、前記収納部１８の凹部１８１に密嵌し、且つ嵌合状態において、扁平磁石体２の背面が中敷本体１の背面と略一致する大きさとしたもので、中敷本体１の中心部分に設けた収納部１８に装着するものである。
【００２２】
薄銅板３は、凹部１８１に密嵌する大きさの輪状板で、一面に突出する一周リブ３１を設けてなり、扁平磁石体２を装着していないつま先部分１２及び踵部分１３に対応する残余の凹部１８１内に収納するものである。勿論薄銅板３に替えて薄アルミ板を採用しても良いし、薄銅板３と薄アルミ板とを混在させても良い。
【００２３】
而して前記の中敷は、表面を上面として靴に入れて使用すると、使用者の足に対して扁平磁石体２による磁気が作用することになり、また小透孔１１の通気に従って中敷の表裏において空気流通が行なわれると共に、薄銅板３が装着されている収納部１８の抜き孔１８３から空気が出入し、薄銅板３との接触によって、殺菌・消臭がなされるものである。
【００２４】
更に表面には扁平突出部１７が散在しており、つぼ刺激作用も発揮されるものである。勿論土踏まず部分は、膨出面１５と多数の小突起１６によるつぼ刺激を受けるものである。
【００２５】
また背面側を上面として靴に装着して使用すると、つぼ刺激を受けることがないので、つぼ刺激を好まない場合も使用できるものである。
【００２６】
更に磁気作用を高めたい場合には、扁平磁石体２の装着数を増加させれば良いし、また殺菌・消臭作用を高めたい場合には、薄銅板３の装着数を増加させれば良いもので、使用者の好みによって種々対応できるものである。
【００２７】
図５乃至図７は、本考案の第二実施形態を示したもので、この実施形態は、第一実施形態と薄銅板（又は薄アルミ板）３の装着構造が相違するもので、扁平磁石体２の装着構造は第一実施形態と同様であるので、当該構造の説明は省略する。
【００２８】
薄銅板３の装着構造は、中敷本体１ａの表面側における薄銅板３の装着位置に、薄銅板３の中央孔を装着孔とし、この装着孔に挿通される小柱体１９を形成し、小柱体１９に薄銅板３を挿通した後、小柱体１９の突出先部を加圧（加熱）変形させてキノコ形状とし、薄銅板３を、中敷本体１ａの表面側に装着してなるものである。
【００２９】
而して前記第二実施形態の中敷も、表面を上面として靴に入れて使用すると、使用者の足に対して扁平磁石体２による磁気が作用することになり、また小透孔１１の通気に従って中敷の表裏において空気流通が行なわれると共に、薄銅板３との接触によって、殺菌・消臭がなされるものである。
【００３０】
更に表面には扁平突出部１７及び小柱体１９が散在しており、つぼ刺激作用も発揮されるものである。勿論土踏まず部分は、膨出面１５と多数の小突起１６によるつぼ刺激を受けるものである。
【００３１】
勿論背面側を上面として靴に装着して使用すると、つぼ刺激を受けることがないので、つぼ刺激を好まない場合も使用できるものである。
【図面の簡単な説明】
【００３２】
【図１】本考案の第一実施形態の全体斜視図（表面）。
【図２】同図（背面）。
【図３】同収納部の断面図で、（イ）は磁石体装着箇所（ロ）は薄銅板装着箇所を示す。
【図４】同収納部（薄銅板）の説明図。
【図５】本考案の第二実施形態の全体斜視図（表面）。
【図６】同図（背面）。
【図７】同要部の断面図で、（イ）は磁石体装着箇所（ロ）は薄銅板装着箇所を示す。
【符号の説明】
【００３３】
１，１ａ      中敷本体
１１    小透孔
１２    つま先部分
１３    踵部分
１４    切り取り基準線
１５    膨出面
１６    小突起
１７    扁平突出部
１８    収納部
１８１  凹部
１８２  周縁面
１８３  抜き孔
１９    小柱体
２      扁平磁石体
３      薄銅板
３１    リブ
【図１】
0003132740.tif 000003
【図２】
0003132740.tif 000004
【図３】
0003132740.tif 000005
【図４】
0003132740.tif 000006
【図５】
0003132740.tif 000007
【図６】
0003132740.tif 000008
【図７】
0003132740.tif 000009
【手続補正書】
【提出日】平成19年4月20日(2007.4.20)
【手続補正１】
【補正対象書類名】実用新案登録請求の範囲
【補正対象項目名】請求項１
【補正方法】変更
【補正の内容】
【請求項１】
通気性を備えるように多数の小透孔を穿設形成した樹脂製の中敷本体において、表面側を扁平突出部とし、前記扁平突出部の背面に凹部を形成すると共に、凹部底面が周面を残して抜き孔とした収納部を適宜数箇所に形成し、前記収納部内に扁平磁石体を背面側が略非突出状態となるように嵌合装着すると共に、前記扁平磁石体装着箇所以外の適宜箇所に、背面側が非突出状態となるように薄銅板又は薄アルミ板からなる薄金属板を、中敷本体に適宜な手段で装着してなることを特徴とする靴の中敷。
【手続補正２】
【補正対象書類名】明細書
【補正対象項目名】０００９
【補正方法】変更
【補正の内容】
【０００９】
本考案に係る靴の中敷は、通気性を備えるように多数の小透孔を穿設形成した樹脂製の中敷本体において、表面側を扁平突出部とし、前記扁平突出部の背面に凹部を形成すると共に、凹部底面が周面を残して抜き孔とした収納部を適宜数箇所に形成し、前記収納部内に扁平磁石体を背面側が略非突出状態となるように嵌合装着すると共に、前記扁平磁石体装着箇所以外の適宜箇所に、背面側が非突出状態となるように薄銅板又は薄アルミ板からなる薄金属板を、中敷本体に適宜な手段で装着してなることを特徴とするものである。